(57)【特許請求の範囲】
【請求項１】
通常時刻以外の時間情報が複数の指針によって表示される複数の時間表示部と、
前記複数の指針を駆動させる駆動源と、
最大単位の時間情報を指示する指針が最大計測時間以上経過したときに、前記複数の指針の全てを自動的に停止させる自動停止部とを有し、
前記複数の指針のうち、前記最大単位の時間情報を指示する指針の運針軌跡は扇形であり、前記最大単位以外の時間情報を指示する指針の運針軌跡は円形であり、
前記自動停止部は、前記最大単位の時間情報を指示する指針を、前記最大計測時間に対応する計測目盛を超過した領域で自動的に停止させるとともに、前記最大単位以外の時間情報を指示する指針を運針開始位置で停止させる
ことを特徴とする計時装置。
【請求項２】
請求項１に記載の計時装置において、前記最大単位の時間情報用の時間表示部には、前記最大計測時間を超過したことを示す超過表示部が設けられ、この超過表示部の範囲内で前記最大単位の時間情報を指示する指針が停止することを特徴とする計時装置。
【請求項３】
請求項２に記載の計時装置において、前記超過表示部の色および／または目盛幅は、前記最大単位の時間情報用の時間表示部の目盛とは異なることを特徴とする計時装置。
【請求項４】
請求項１ないし請求項３のいずれかに記載の計時装置において、前記指針を機械的に帰零させる帰零機構を備えていることを特徴とする計時装置。
【請求項５】
複数の時間表示部で表示される複数の時間情報を計時し、かつこれらの時間情報を指示する複数の指針を自動停止させる自動停止部を備えた計時装置に採用される計時装置の自動停止方法であって、
前記複数の指針のうち、最大単位の時間情報を指示する指針の運針軌跡を扇形にしておき、前記最大単位以外の時間情報を指示する指針の運針軌跡を円形にしておき、
前記自動停止部は、前記最大単位の時間情報を指示する指針を前記自動停止させるとき、当該最大単位の時間情報を指示する指針を前記最大計測時間に対応する計測目盛を超過した領域で停止させるとともに、前記最大単位以外の時間情報を指示する指針を運針開始位置で停止させる
ことを特徴とする計時装置の自動停止方法。
【発明の詳細な説明】
【技術分野】
【０００１】
本発明は、計時装置に係り、例えばクロノグラフを備えた多機能時計等の計時装置に関する。
【背景技術】
【０００２】
従来より、クロノグラフ機能を備えた多機能時計（計時装置）においては、時間計測開始から最大計測時間経過後に時間計測が自動的に停止した場合でも、自動停止したことを使用者に容易に知らしめることで、次計測時のための停止操作やリセット操作を促し、次計測のタイミングを逃さないようにしたものが知られている（例えば、特許文献１）。
【０００３】
この多機能時計では、通常時刻を指示する時針、分針、秒針を備える他、１／１０秒クロノグラフ針（以下、「クロノグラフ」を「ＣＧ」と略す場合がある。「ＣＧ」とは「ＣＨＲＯＮＯＧＲＡＰＨ」の略称である。）、秒クロノグラフ針、分クロノグラフ針、およびクロノグラフ時針を備えており、これらクロノグラフ針の表示部では円形に目盛が付され、各クロノグラフ針が零位置から全周一回転することにより最大計測時間を計測するようになっている。
【０００４】
そして、最大計測時間経過後に各クロノグラフ針が零位置で自動的に止まったのでは、一見この状態が自動停止状態なのか、リセット後の帰零状態なのかを判別できないため、当該多機能時計での自動停止の際には、零位置から僅かに進めた位置でクロノグラフ針を停止させるようにしてあり、そのような位置で停止してるクロノグラフ針を確認することにより、クロノグラフ針が帰零状態ではなく、自動停止状態にあることを使用者は容易に判別できるようになっている。
【０００５】
【特許文献１】特開平１１−３０４９６６号公報
【発明の開示】
【発明が解決しようとする課題】
【０００６】
しかしながら、前記特許文献１の多機能時計のように、零位置をわずかに経過した位置でクロノグラフ針が停止すると、その停止状態が自動停止によるものか、あるいは使用者のストップ操作により停止したものなのかが、即座には判別できない場合がある。例えば、ストップ操作を行ったつもりの使用者が、実際には計測が継続しているにもかかわらず、時計をそのまま放置し、しばらく経って時計を見たところ、クロノグラフ針が自動停止位置で止まっている場合である。この場合に使用者は、クロノグラフ針が自動停止したのではなく、ストップ操作によって停止しているものと信じ込み、読み取りを誤りかねない。
【０００７】
本発明の目的は、指針が帰零状態で停止しているのか、自動的に停止しているのか、あるいはストップ操作によって停止しているのかをより確実に判別できる計時装置およびその自動停止方法を提供することにある。
【課題を解決するための手段】
【０００８】
本発明の時計は、通常時刻以外の時間情報が複数の指針によって表示される複数の時間表示部と、前記複数の指針を駆動させる駆動源と、最大単位の時間情報を指示する指針が最大計測時間以上経過したときに、前記複数の指針の全てを自動的に停止させる自動停止部とを有し、前記複数の指針のうち、前記最大単位の時間情報を指示する指針の運針軌跡は扇形であり、前記最大単位以外の時間情報を指示する指針の運針軌跡は円形であり、前記自動停止部は、前記最大単位の時間情報を指示する指針を、前記最大計測時間に対応する計測目盛を超過した領域で自動的に停止させるとともに、前記最大単位以外の時間情報を指示する指針を運針開始位置で停止させることを特徴とする。
このような本発明においては、最大計測時間経過後に指針が自動停止するのであるが、この指針の運針軌跡は扇形であり、従来とは異なって指針が全周回転することはないので、自動停止する位置が零位置ではないうえ、零位置から僅かに経過した位置でもない。
従って、指針が運針軌跡に沿って目一杯回動した位置で停止しているのであれば、その位置がすなわち自動停止した位置であるし、回動途中位置で停止しているのであれば、その位置がストップ操作により停止した位置であり、しかも零位置に停止している状態は帰零状態以外にないから、指針が停止している場合、その停止位置によっていずれの停止状態にあるのかがより確実に判別されるようになる。
【０００９】
本発明の計時装置では、前記指針は前記最大計測時間に対応する計測目盛を超過した領域で停止することが望ましい。
最大計測時間以上経過して指針を停止させる場合、その最大計測時間を表す計測目盛に達した位置で停止させることも考えられる。しかし、時間計測にあたってストップ操作を行った結果、そのような計測目盛上で指針が停止した場合には、本当にストップ操作によって停止したのか、最大計測時間を経過したことで自動的に停止したのかが判別できず、最大計測時間を正確に計測できない。
これに対して本発明では、最大計測時間に対応する計測目盛を超過した位置で指針が自動停止するから、ストップ操作した結果、指針がそのような計測目盛上で停止しているのであれば、計測結果は丁度最大計測時間に等しいといえ、最大計測時間が正確に計測されるようになる。
【００１０】
本発明の計時装置では、前記時間表示部には、前記最大計測時間を超過したことを示す超過表示部が設けられ、この超過表示部の範囲内で前記指針が停止することが望ましい。
このような本発明によれば、最大計測時間に対応する位置を超過した領域に計測目盛とは違った超過表示部を設けることにより、指針の自動停止位置での停止状態が一層見易くなり、判読性がさらに向上して使い勝手が良好になる。
【００１１】
本発明では、前記超過表示部の色および／または目盛幅は、前記時間表示部の目盛とは異なることが望ましい。
このような本発明によれば、最大計測時間を超えた場合に指針の位置が通常の計測目盛上にないことがより明確に判読されるようになるから、判読性が一層向上するうえ、外観上の意匠性も向上する。
なお、超過表示部の目盛幅は、計時装置を構成する歯車などのバックラッシや軸がた等により発生する指針の回転方向のふらつき角よりも大きいことが望ましい。
【００１２】
本発明の時計装置では、前記時間情報は通常時刻以外の情報であるとともに、前記指針は当該情報に応じて複数設けられ、これら複数の指針のうち、最大単位の情報を指示する指針の運針回動軌跡は、扇形であることが望ましい。
複数の指針全ての回動軌跡を扇形とすることも可能であるが、小さい単位の情報を指示する指針までも扇形の回転軌跡で運針させると、この回転軌跡内で最大計測時間を計測できるようにするには、回転軌跡内で付される目盛が過度に細かく密になるため、かえって判読性が阻害される。
しかし、本発明のように、最大単位の情報を指示する指針の回動軌跡を扇形とすれば、回転軌跡内に付される目盛もさほど細かくならずにすみ、判読性が損なわれる心配がない。ここで、通常時刻以外の情報としては、例えばストップウオッチ、タイマー等があげられる。
【００１３】
この際、本発明の計時装置は、前記複数の指針のうち、前記最大単位以外の時間情報を指示する指針の回動軌跡は円形であり、前記最大単位の時間情報を指示する指針が前記自動停止部によって停止されるとき、前記最大単位以外の情報を指示する指針は運針開始位置で停止することが望ましい。
このような本発明においては、最大計測時間以上に経過した際に、最大単位以外の情報を指示する指針が全て帰零位置で自動停止するので、この停止位置から自動停止状態にあることがより容易に判別されるとともに、円形の回動軌跡の中の半端な位置で停止する場合と異なって見栄えがよく、自動停止状態での意匠性が向上する。
【００１４】
本発明の計時装置では、前記指針を機械的に帰零させる帰零機構を備えていることが望ましい。
ステップモータ等を利用した電気的な帰零手段よりも、機械的な帰零機構を用いる方が帰零を瞬時に実施できるため、指針の瞬間的な帰零動作によりダイナミック感が味わえる。
また、回動軌跡が扇形であるから、指針の帰零をモータで行うには、指針の駆動方向を変えて帰零させる必要があり、モータとして正転と逆転とを実現できるものに限られる。しかし、このようなモータは、電圧変動が少ない一次電池等を電源として用いなければならず、回転錘の回転を発電機で電気エネルギーに変換して二次電池に蓄えたり、ソーラー発電によって電気エネルギーを二次電池に蓄え、よってこの二次電池を電源として用いようとしても、電圧変動があってそのようなモータを駆動することができず、時計の仕様に制限が生じる。一方、機械的な帰零機構を備えることで、指針の駆動源としてのモータは、正転（一方向）のみが行えるものでよいから、電圧変動に対して強く、一次電池および二次電池のいずれを用いても確実に駆動されるようになり、時計を設計する上での制限がなくなる。
さらに、正転のみ可能であるモータが電圧変動に対して強いことにより、二次電池での充電状態が極めて低い状態であっても、モータが確実に駆動されるようになり、例えば充電切れによって停止した状態からも、僅かに充電されただけで指針による計測が即座に行える。
そして、扇形としては、角度が１８０度の範囲内であれば、帰零時間や帰零方向等の制約を殆ど受けず、輪列構成（減速比・増速比）を変形するだけで任意の角度の扇形で運針させることが可能であり、計時装置として意匠性に富んだ幅広い商品展開が行える。
【００１５】
一方、本発明の計時装置の自動停止方法は、複数の時間表示部で表示される複数の時間情報を計時し、かつこれらの時間情報を指示する複数の指針を自動停止させる自動停止部を備えた計時装置に採用される計時装置の自動停止方法であって、前記複数の指針のうち、最大単位の時間情報を指示する指針の運針軌跡を扇形にしておき、前記最大単位以外の時間情報を指示する指針の運針軌跡を円形にしておき、前記自動停止部は、前記最大単位の時間情報を指示する指針を前記自動停止させるとき、当該最大単位の時間情報を指示する指針を前記最大計測時間に対応する計測目盛を超過した領域で停止させるとともに、前記最大単位以外の時間情報を指示する指針を運針開始位置で停止させることを特徴とする。
【発明の効果】
【００１６】
本発明によれば、指針が帰零状態で停止しているのか、自動的に停止しているのか、あるいはストップ操作によって停止しているのかをより確実に判別できるという効果がある。
【発明を実施するための最良の形態】
【００１７】
以下、本発明の実施の形態を図面に基づいて説明する。
図１には、本発明の多機能時計の実施形態であるクロノグラフ付時計１の表外観が示されている。
このクロノグラフ付時計１は、図１のＡ−Ａ線からＤ−Ｄ線までの各断面線に沿った断面図である図２〜４にも示すように、透光性のガラス２を通して視認可能な文字板３部分からなる時間表示部４を備えている。すなわち、時間表示部４は、文字板３の周囲に配置されるガラス保持リング５の内周面（見切り面）５Ａの内側に区画形成されている。このため、本実施形態では、時間表示部４は正面略円形に区画形成され、前記ガラス保持リング５により時間表示部４を区画形成する見切部が構成されている。
【００１８】
［１．指針のレイアウト構成］
図１に示すように、クロノグラフ付時計１は、時間表示部４に配置された通常時刻表示用の時針１１、分針１２、秒針１３と、通常時刻以外の他の情報であるクロノグラフ時間を示す秒クロノグラフ針（秒ＣＧ針）１４、分クロノグラフ針（分ＣＧ針）１５とを備えている。
また、時計１の３時方向の側面には通常時刻を修正するための外部操作部材であるりゅうず１７が配置され、２時方向には、秒ＣＧ針１４、分ＣＧ針１５をスタート、ストップ操作をするためのスタート・ストップボタン１８が配置され、４時方向には秒ＣＧ針１４、分ＣＧ針１５を帰零するためのリセットボタン１９が配置されている。
【００１９】
ここで、図６にも示すように、時針１１、分針１２の回転軸１２Ａは同軸とされ、時間表示部４の中心４Ａに対してその回転軸１２Ａが６時方向（図６中下方）に離れた位置に設けられている。秒針１３は、その回転軸１３Ａが前記中心４Ａに対して略１０時方向に離れた位置に配置されている。
【００２０】
一方、秒クロノグラフ時間を示す秒ＣＧ針１４は、その回転軸１４Ａが前記中心４Ａに対して１２時方向にわずかにずれた（偏心した）位置に配置されている。本実施形態では、偏心量ｄ１は約１．５mmであるが、この偏心量ｄ１は時計１のサイズ、デザイン等に応じて設定されるものであり、約１．５mmに限定されるものではない。
また、分クロノグラフ時間を表示する分ＣＧ針１５は、中心４Ａに対してその回転軸１５Ａが略２時方向に離れた位置に配置されている。
【００２１】
各針１１〜１４は、通常の時計と同様に時計回りに回転されるが、分ＣＧ針１５のみは扇形の目盛上を扇形に運針する。つまり、分ＣＧ針１５は、図６に示す帰零状態（リセット状態）から時計回りに回転する。また、リセットボタン１９を操作すると、分ＣＧ針１５は、逆方向に回転して初期位置（リセット状態）に戻るようになっている。なお、本実施形態では、分クロノグラフは４５分計となっており、サッカー、ラクビーなどの試合時間の計測なども可能になっている。
【００２２】
ここで、分針１２、秒針１３、秒ＣＧ針１４、分ＣＧ針１５の各回転軸１２Ａ〜１５Ａから各針１２〜１５の先端までの長さ寸法をそれぞれＬ１〜Ｌ４とすると、秒ＣＧ針１４の長さ寸法Ｌ３は、他の針の長さ寸法Ｌ１，Ｌ２，Ｌ４よりも長く形成されている。すなわち、本実施形態において、指針である秒ＣＧ針１４の回転軸１４Ａから秒ＣＧ針１４の先端までの長さ寸法ＡはＬ３であり、分針１２の回転軸１２Ａから分針１２の先端までの長さ寸法ＢはＬ１であり、秒針１３の回転軸１３Ａから秒針１３の先端までの長さ寸法ＣはＬ２であり、第２の指針である分ＣＧ針１５の回転軸１５Ａから分ＣＧ針１５の先端までの長さ寸法ＤはＬ４である。
【００２３】
分針１２の回転軸１２Ａおよび秒ＣＧ針１４の回転軸１４Ａ間の間隔（距離）は、前記分針１２の長さ寸法Ｌ１よりも大きくされ、前記分針１２が回転軸１４Ａに衝突しないようにされている。なお、時針１１の長さ寸法は、当然、前記分針１２の前記長さ寸法よりも短く、かつ前記分針１２と同軸に配置されているので、時針１１が回転軸１４Ａに衝突することもない。
ここで、分針１２の長さ寸法Ｌ１および回転軸１２Ａの位置は、上記条件の他、分針１２が回転軸１２Ａを中心に回転した際に、分針１２の先端が見切部であるガラス保持リング５にも当接しないように設計される。すなわち、回転軸１２Ａは、ガラス保持リング５における６時方向側内面５Ａおよび回転軸１４Ａ間の略中間位置に配置され、その配置位置に応じて前記分針１２の長さ寸法Ｌ１が設定されている。
【００２４】
秒針１３の回転軸１３Ａおよび前記回転軸１４Ａ間の間隔（距離）も、前記秒針１３の長さ寸法Ｌ２よりも大きくされ、秒針１３が回転軸１４Ａにぶつかることがないようされている。
なお、秒針１３は、時間表示部４において略１０時方向に配置されており、時分針１１，１２が配置された６時方向に比べて配置可能なスペースが小さいため、秒針１３の長さ寸法Ｌ２は、分針１２の長さ寸法Ｌ１よりも小さくされている。この秒針１３の長さ寸法Ｌ２や回転軸１３Ａの配置位置は、分針１２と同様に、回転軸１４Ａや時間表示部４外周のガラス保持リング５に衝突しないように設定されている。
【００２５】
一方、分ＣＧ針１５の回転軸１５Ａおよび前記回転軸１４Ａ間の間隔は、分ＣＧ針１５の長さ寸法Ｌ４よりも短くされ、各回転軸１４Ａ，１５Ａが近接して配置されている。
このため、分ＣＧ針１５を１周回転させると、針１５は回転軸１４Ａにぶつかってしまう。そこで、本実施形態では、分ＣＧ針１５は、前述のように、他の針１１〜１４のように１周回転するのではなく、一定角度範囲内のみで回動駆動可能つまりその駆動軌跡が扇形となるように構成されている。
【００２６】
ここで、時針１１、分針１２、秒針１３、分ＣＧ針１５の各回転軸１２Ａ，１３Ａ，１５Ａは、秒ＣＧ針１４の移動軌跡内に配置される。このため、秒ＣＧ針１４の高さ位置（レベル）は、各針１１〜１３，１５の高さ位置よりも高く（ガラス２側に）配置されており、秒ＣＧ針１４が各針１１〜１３，１５に干渉しないように高さレベルが設定されている。
そして、各針１１〜１３，１５と、秒ＣＧ針１４との高さ位置が異なることから、各目盛３Ａ〜３Ｄが形成される文字板３も、各針１１〜１５の高さ位置に合わせて設けられている。
【００２７】
具体的には、文字板３は、図２〜４に示すように、上下に積層された２枚の文字板３１，３２で構成されている。上側（ガラス２側）の文字板３１には、秒ＣＧ針１４に対応する目盛３Ｃが形成されている。また、文字板３１において、各針１１〜１３，１５が配置される箇所は穴が加工されており、下側の文字板３２が露出するようにされている。このため、各目盛３Ａ，３Ｂ，３Ｄは、文字板３２に形成されている。
また、文字板３の４時から５時方向の略中間部分（略４時半方向）には、日車を露出させて日付を表示するための窓１６が各文字板３１，３２を貫通して形成されている。
【００２８】
文字板３上には、各指針１１〜１５に対応するように通常時刻を示す目盛とクロノグラフ時間を示す目盛とが付されている。具体的には、通常時刻の時および分を示す目盛３Ａは、６時方向の位置で円形に付されている。通常時刻の秒を示す目盛３Ｂも、略１０時方向の位置で円形に付されている。秒クロノグラフ時間を示す目盛３Ｃは、文字板７の外周よりも若干小さい円形で、その中心が１２時側にわずかにずれて（偏心して）付されている。
一方、分クロノグラフ時間を示す目盛３Ｄは、扇形での円弧状部分沿って例えば黒色で付されている。この目盛３Ｄは、分を示す単位であるから、本実施形態ではクロノグラフ時間を示す単位のうちの最大の単位である。また、扇形の中心部分の角度は、本実施形態では１３５度とされており、このことから４５分計である本実施形態では、秒から分への減速比は１／１２０に設定され、各目盛３Ｄが３度刻みに付されていることになる。
【００２９】
この目盛３Ｄにおいて、最大計測時間を示す位置には目盛３Ｄａが付されており、この目盛３Ｄａの外側には当該円弧状部分に沿って延びた超過表示部３Ｅが例えば赤色で設けられている。超過表示部３Ｅの円弧状部分に沿った長さは、本実施形態では３分ぶんの長さに相当し、約９度の角度で開いた扇形の円弧の長さに等しく、３分ぶんといった長い目盛幅を有することで、分ＣＧ針１５の太さよりも十分に大きな幅にでき、分ＣＧ針１５で超過表示部３Ｅが隠れないようにして視認性を向上させている。また、超過表示部３Ｅの目盛幅は、後述するクロノグラフ輪列でのバックラッシや軸がた等により発生する分ＣＧ針１５の回転方向のふらつき角よりも大きい。
そして、この時計１では、クロノグラフ時間の計測を開始してから最大計測時間である４５分を経過すると、秒ＣＧ針１４は円形に付された目盛３Ｃのうちの０秒位置（帰零位置）にある目盛３Ｃａ上で自動的に停止するが、分ＣＧ針１５は最大計測時間を示す目盛３Ｄａ上ではなく、図６に示すように、この目盛３Ｄａを超過した位置すなわち、超過表示部３Ｅの端（運針方向の先端）まで進んで自動的に停止する。
【００３０】
ただし、秒ＣＧ針４および分ＣＧ針４の停止タイミングは同時であり、分ＣＧ針５が目盛３Ｄａを越えて、例えば３分間運針する間は、秒ＣＧ針４も３分間回転運針し、その後に各ＣＧ針４，５が同時に停止するのである。また、分ＣＧ針１５が超過表示部３Ｅ上のどの位置に停止するかは、任意に設定される超過表示部３Ｅの長さ等を勘案して決められればよく、超過表示部３Ｅの中央位置などであってもよい。さらに、超過表示部３Ｅの目盛幅は３分ぶんに限定されず、分ＣＧ針１５の太さや文字板７上での全体の意匠性を勘案して任意に設定してよい。
【００３１】
クロノグラフ付時計１は、図２〜４に示すように、ケース２０と、このケース２０の上部開口にパッキンを介して取り付けられたガラス保持リング５と、このガラス保持リング５で保持されるガラス２と、ケース２０の下部開口にパッキンを介して取り付けられる裏蓋３０とを備えている。なお、本実施形態において、時計１の断面方向の上下位置関係は、特に説明がない場合、ガラス２側を上側、裏蓋３０側を下側という。
これらのケース２０、ガラス２、裏蓋３０で囲まれた内部空間に、各針１１〜１５を駆動するムーブメント１００が配置されている。
【００３２】
［２．ムーブメント構造］
次に、クロノグラフ付時計１のムーブメント１００の構成について説明する。本実施形態のムーブメント１００は、大きく分けて二層構造とされている。一層目には、通常時刻を表示するための基本時計輪列と、クロノグラフを表示するためのＣＧ（クロノグラフ）輪列と、通常時刻を修正するための時刻修正機構が配置されている。
また、二層目には、発電用のコイルブロック、ステーター、発電用輪列、発電エネルギーを充電するための二次電源、クロノグラフの帰零機構が配置されている。
そして、一層目と二層目の間には、通常時刻表示やクロノグラフ表示の電気的な制御、発電機の制御を行う回路基板５０１が配置されている。
なお、本実施形態において、一層目とは時計１の上方側つまりガラス２に近い側を意味し、二層目とは時計１の下方側つまり裏蓋３０に近い側を意味する。
【００３３】
［２−１．ムーブメント一層目の構成]
時計１のムーブメント１００の一層目には、図７にも示すように、基本時計輪列やクロノグラフ輪列、時刻修正機構が配置されている。なお、図７の斜視図においては、裏蓋３０側を上方に、ガラス２側を下方にして記載されている。これは、ムーブメント１００を組み立てる際に、通常は、地板４００上に各部品を組み付けていくからである。なお、この上下位置関係は、ムーブメント１００の組立の過程を示す図８〜１４の各斜視図においても同様である。
図７に示すように、地板４００の上面（裏蓋側）には合成樹脂製の回路受け座７００が配置されており、各輪列の歯車等はこの回路受け座７００上に配置されている。
【００３４】
［２−１−１．基本時計輪列］
通常時刻を示すための基本時計輪列の概略構造を説明する。基本時計は、基本時計用モータ１０１、基本時計輪列を備えて構成される。
基本時計用の駆動源である基本時計用モータ１０１は、基本時計用コイル１０２、基本時計用ステーター１０３、基本時計用ローター１０４から構成されている。そして、電子回路からの駆動信号により１秒に１ステップのタイミングで基本時計用ローター１０４が回動し、五番車１０５を経て小秒車１０６に駆動が減速伝達される。従って、前記小秒車１０６に保持された基本時計秒針（小秒針）１３によって通常時刻の秒表示がされる。
すなわち、基本時計用モータ１０１は、小秒針１３を保持する小秒車１０６の近傍に配置されている。これにより、小秒針１３の運針時の指示ムラを抑えることができる。
【００３５】
また、ローター１０４の回転は、五番車１０５、四番第三中間車１０７、四番第二中間車１０８、四番第一中間車１０９、三番車１１０を経て二番車１１１に減速伝達される。従って、前記二番車１１１に保持された基本時計の分針１２によって通常時刻の分表示がなされる。二番車１１１からは日の裏車を経て筒車１１３にも駆動が伝達されて通常時刻の時表示がされる。
ここで、時間表示部４の中心４Ａから略１０時方向に配置された秒針１３と、６時方向に配置された時針１１、分針１２との距離は非常に長くなる。このため、本実施形態では、基本時計用モータ１０１の回転をローター１０４から離れた二番車１１１に伝えるために、増減速しない３つの中間車１０７〜１０９を配置している。なお、各中間車１０７〜１０９は、増減速しない歯車であるため、同一の歯車で構成されている。これにより、歯車の数が増えてもコストが大幅に向上しないようにしている。
そして、各歯車１０５〜１１１により基本時計輪列が構成されている。
【００３６】
［２−１−２．時刻修正機構］
時針１１、分針１２の時刻を修正するための時刻修正機構は、りゅうず１７が固着された巻真１３０と、この巻真１３０を通常形態位置、時刻修正位置、カレンダー修正位置の各状態に位置規正するおしどり１３１、かんぬき１３２、規正レバー１３９，つづみ車１３３等で構成される切換部とを備えている。ここで、巻真１３０は時計１の３時方向に配置されており、切換部は３時から５時方向に配置されている。
そして、３時方向に配置された巻真１３０と、６時方向に配置された時針１１、分針１２とが離れているため、本実施形態の時刻修正機構は、３つの中間車１３５〜１３７を備えている。
【００３７】
すなわち、りゅうず１７に固着された巻真１３０を引き出すことにより、おしどり１３１とかんぬき１３２が連動し、つづみ車１３３が小鉄車１３４と噛み合う。小鉄車１３４は順次、日の裏第三中間車１３５、日の裏第二中間車１３６、日の裏第一中間車１３７を介して日の裏車１３８に巻真１３０の回転を伝達し、通常の時刻修正が行われる。おしどり１３１には規正レバー１３９が係合しており巻真１３０の引き出しに連動して四番第一中間車１０９を規正する。
ここで、りゅうず１７と時分針１１，１２が離れているために設けられた中間車１３４〜１３７は、増減速しない歯車であるため、日の裏車１３８と同一の歯車で構成されている。これにより、歯車の数が増えてもコストが大幅に向上しないようにしている。
【００３８】
［２−１−３．クロノグラフ輪列］
クロノグラフ時計は、駆動源であるクロノグラフモータ２０１、クロノグラフ輪列を備えて構成されている。
クロノグラフ輪列の駆動源であるクロノグラフモータ２０１は、コイル２０２、ステーター２０３、ローター２０４から構成され、時計１の略１２時位置に配置されている。このモータ２０１は、電子回路からの駆動信号によりローター２０４が回転駆動する。
このローター２０４の回転は、秒ＣＧ第三中間車２０５、秒ＣＧ第二中間車２０６、秒ＣＧ第一中間車２０７を経て秒ＣＧ車２０８に伝達され、秒ＣＧ車２０８に保持された秒ＣＧ針１４にてクロノグラフ秒が表示される。
【００３９】
一方、秒ＣＧ第一中間車２０７に伝達された回転は、秒ＣＧ第一中間車２０７から分ＣＧ第二中間車２２２、分ＣＧ第一中間車２２１を経て分ＣＧ車２２０に伝達され、分ＣＧ車２２０に保持された分ＣＧ針１５にてクロノグラフ分が表示される。すなわち、秒ＣＧ第一中間車２０７には、上下に２つのかなを備えており、一方のかなに秒ＣＧ車２０８が噛み合い、他方のかなに第二中間車２２２が噛み合っている。
なお、秒ＣＧ車２０８および分ＣＧ車２２０には、帰零のためのハートカム２１０，２２４がそれぞれ備えられている。また、秒ＣＧ車２０８および分ＣＧ車２２０を構成する真および歯車のうち、真は各車２０８，２２０で同一のものが使用され、歯車のみが異なるものとされている。これらの秒ＣＧ車２０８および分ＣＧ車２２０は、図７に示すように、針高さが異なるため、断面的にずらして配置されている。
【００４０】
以上のムーブメント１００の一層目に配置される基本時計輪列とクロノグラフ輪列の上（裏蓋側）には、図８に示すように、輪列受け４０１が配置され、この輪列受け４０１により、基本時計輪列およびクロノグラフ輪列の各上ほぞ（裏蓋側のほぞ）が回動自在に支持されている。すなわち、基本時計輪列およびクロノグラフ輪列は、地板４００の上面に載置した回路受け座７００と、輪列受け４０１との間に支持されている。
【００４１】
［２−２．ムーブメント中間層の構成]
前記輪列受け４０１の上（裏蓋側）には、図９に示すように、回路基板５０１が配置されている。回路基板５０１は、時計１の略２時位置に配置されたスタート・ストップボタン１８部分からリセットボタン１９、６時位置、各モータが配置された１０時位置まで、時計１のケース内周に沿って平面略Ｃ字状に形成されている。
この回路基板５０１に設けられたＩＣ等の電子回路によって各モータ１０１，２０１の駆動制御と、各ボタン１８，１９の操作状態を検出できるようにされている。
さらに、回路基板５０１には、二層目の回路との導通を行うための４つの導通端子を有する導通端子部５０２が設けられている。
【００４２】
［２−３．ムーブメント二層目の構成]
ムーブメント１００の二層目には、発電用のコイルブロック、ステーター、発電用輪列、発電エネルギーを充電するための二次電源、クロノグラフの帰零機構が配置される。
【００４３】
ムーブメント二層目は、図１０に示すように、まず、回路基板５０１の上（裏蓋側）に重ねて配置される回路押さえ６００を備えている。この回路押さえ６００が発電機、二次電池、帰零機構の基盤となる。
すなわち、図１１，１２に示すように、回路押さえ６００の略４時方向には、発電用コイルブロック６１１、発電用ステーター６１２、発電用ローター６１３を備えた発電機６１０が配置されている。
また、略８時方向には二次電源６４０を配置するための略円筒状の凹部６２０が形成されており、その外周に沿って導通基板６３０が配置されている。４つの導通コイル６３１を回路押さえ６００に形成された４つの貫通孔内にそれぞれ配置することで、その端部が前記回路基板５０１と前記導通基板６３０の各端子にそれぞれ接触する。これにより、導通コイル６３１を介して、ムーブメント１００の一層目のモータ１０１，２０１等に電気的に接続されている回路基板５０１と、二層目の発電機６１０や二次電源６４０に電気的に接続される導通基板６３０とが、電気的に接続できるように構成されている。
また、回路押さえ６００は、秒ＣＧ車２０８、秒ＣＧ第一中間車２０７の各回転軸の上ほぞを回動自在に支持している。
【００４４】
さらに、ハートカム２１０，２２４、これらハートカム２１０，２２４に当接する復針レバー３３０、スタート・ストップボタン１８の押し操作に伴い回動して前記復針レバー３３０をハートカム２１０，２２４から離す作動レバー３４０、リセットボタン１９の押し操作に伴い回動して前記復針レバー３３０をハートカム２１０，２２４に当接させる伝達レバー３１０および復針伝達レバー３２０等の帰零機構を構成するレバー類は、ＣＧ輪列やＣＧモータ２０１と上下方向に重なるように、時計１の概略４時から１０時位置に配置されている。
そして、これらの帰零機構を構成するレバー類は、発電機６１０や二次電源６４０とは平面的に重ならないように配置されている。
【００４５】
作動レバー３４０には、スイッチ入力端子３４１が一体に形成されており、前記スタート・ストップボタン１８を押すと、スイッチ入力端子３４１が回路基板５０１の端子に接触し、ボタン１８の押し操作つまりスイッチの入力が検出できるようにされている。
【００４６】
帰零機構の各レバー３１０，３２０，３３０，３４０の上（裏蓋側）には、図１２に示すように、帰零押さえ３６０が配置され、各レバー３１０，３２０，３３０，３４０はこの帰零押さえ３６０および回路押さえ６００間に支持されている。この帰零押さえ３６０には、作動レバー３４０に突設されたピンに係合するクリックばね３６１と、復針伝達レバー３２０に突設されたピンに係合するクリックばね３６２とが一体に形成されている。
また、図１２に示すように、帰零押さえ３６０には、リセットボタン１９が当接するばね部３６３が形成されている。このため、リセットボタン１９を押すと、ばね部３６３を介して伝達レバー３１０が押されて回動される。また、ばね部３６３は、帰零押さえの対向する側から形成されている入力端子部３６４を弾性的に保持しており、リセットボタン１９が押されると、ばね部３６３は、帰零押さえ３６０に形成された入力端子部３６４を開放し、入力端子部３６４が回路基板５０１に設けられるリセット端子に当接される。これにより、リセットボタン１９の押し操作を検出できるようになっている。
【００４７】
帰零押さえ３６０の上側には、発電用ローター６１３に噛み合うローター伝え車６１４も配置されている。
さらに、帰零押さえ３６０の上には、図１３に示すように、回転錘受４６０が配置される。この回転錘受４６０により、前記発電用ローター６１３、ローター伝え車６１４、分ＣＧ車２２０、分ＣＧ第一中間車２２１の各回転軸の各上ほぞが回転自在に支持されている。
また、前記凹部６２０には、二次電源６４０が配置されている。この二次電源６４０は、二次電池とマイナス端子とを溶接することで一体化された二次電源ユニットで構成されている。この二次電源６４０は、金属部材である二次電池押さえ６４１により絶縁板を介して２本のねじでムーブメント１００に固定されており、ムーブメント部品の最後に組み立てられるようになっている。なお、二次電源６４０には、二次電池のマイナスリード板６４２も取り付けられている。
【００４８】
回転錘受４６０上には、図１４に示すように、回転錘車４７０および回転錘４８０が配置されている。回転錘車４７０は、回転錘受４６０から突出しているローター伝え車６１４のかなに噛合している。このため、回転錘４８０の回動に伴い回転錘車４７０が回転すると、ローター伝え車６１４を介して発電用ローター６１３が回転し、発電機６１０で発電されることになる。
【００４９】
［３−１．基本時計の動作]
このような本実施形態では、時計１を腕に装着するなどして動かすと、回転錘４８０が回転する。回転錘４８０の回転に伴い、回転錘車４７０、ローター伝え車６１４を介して発電用ローター６１３が回転され、発電されるようになる。
発電機６１０で発電された電力は、導通基板６３０や導通コイル６３１を介して電気的に接続された整流回路で整流された後、二次電源６４０に供給されて充電される。
二次電源６４０に充電された電力は、前記導通基板６３０、導通コイル６３１を介して回路基板５０１に供給される。これにより、回路基板５０１に配置された水晶発振器やＩＣなどの制御装置が駆動され、この制御装置から出力される駆動パルスによって基本時計用モータ１０１が駆動される。
【００５０】
基本時計用モータ１０１が駆動されてローター１０４が回転されると、その回転は、前述の通り、五番車１０５を介して小秒車１０６に伝達され、小秒針１３が作動される。
同時に、ローター１０４の回転は、五番車１０５、各中間車１０７〜１０９、三番車１１０、二番車１１１、日の裏車等の基本時計輪列を介して伝達され、時針１１および分針１２も作動される。
【００５１】
［３−２．クロノグラフ時計の動作]
一方、クロノグラフ時計機能を利用する場合には、まず、スタート・ストップボタン１８を押す。すると、作動レバー３４０を介して復針レバー３３０が動かされ、復針レバー３３０がハートカム２１０，２２４から離れて秒ＣＧ車２０８、分ＣＧ車２２０の規正が解除される。
同時に、スタート・ストップボタン１８の押し操作により、スイッチ入力端子３４１が回路基板５０１に接触してスイッチが入力され、制御回路からＣＧモータ２０１に駆動パルスが送られてモータ２０１が駆動する。
ＣＧモータ２０１のローター２０４の回転は、前記ＣＧ輪列を介して秒ＣＧ車２０８および分ＣＧ車２２０に伝達され、秒ＣＧ針１４、分ＣＧ針１５がそれぞれ作動される。
【００５２】
なお、スタート・ストップボタン１８の押し操作を解除すると、クリックばね３６１の弾性力で作動レバー３４０は元の位置に戻り、スイッチ入力端子３４１も回路基板５０１から離れる。但し、ＣＧモータ２０１の駆動は継続し、クロノグラフ時の計時が続行される。
【００５３】
ＣＧモータ２０１が駆動している際に、再度スタート・ストップボタン１８を押すと、作動レバー３４０が再度回動して前記スイッチが入力される。これにより、ＣＧモータ２０１が停止し、各秒ＣＧ針１４、分ＣＧ針１５も停止する。
その後、再度、スタート・ストップボタン１８を押せば、ＣＧモータ２０１の駆動が再開され、秒ＣＧ針１４、分ＣＧ針１５の作動も再開する。以降、スタート・ストップボタン１８を押すたびに、ＣＧモータ２０１の停止、駆動が交互に繰り返されて、クロノグラフ時間の積算計測が行われる。
【００５４】
一方、リセットボタン１９を押すと、伝達レバー３１０および復針伝達レバー３２０を介して復針レバー３３０が移動され、この復針レバー３３０が秒ＣＧ車２０８および分ＣＧ車２２０のハートカム２１０，２２４を圧接して各針１４，１５を帰零させる。
なお、本実施形態では、リセットボタン１９を押した際に、秒ＣＧ第二中間車２０６に圧接して規正するクロノグラフ規正レバーが設けられており、秒ＣＧ車２０８、分ＣＧ車２２０の帰零動作に伴いＣＧモータ２０１のローター２０４が回転しないようにしている。さらに、リセットボタン１９の押し操作で、ばね部３６３が入力端子部３６４を開放することにより入力端子部３６４がリセット端子に当接し、リセットスイッチが入力されると、ＣＧモータ２０１を制御する電子回路はリセットされる。
【００５５】
さらに、スタート操作を行った後、最大計測時間である４５分を経過した場合には、秒ＣＧ針１４および分ＣＧ針１５は、ストップ操作を行うことなしに同時に自動的に停止する。この際、秒ＣＧ針１４は丁度、帰零位置である目盛３Ｃａ上で自動停止する。一方の分ＣＧ針１５は、目盛３Ｄａを越えても計測時のスピードで運針し続け（この間、秒ＣＧ針１４も運針を続ける）、超過表示部３Ｅの先端まで進んで自動停止する。
なお、自動停止した際の電気的な状態は、ストップ入力がＯＮの状態と同じであるが、機械的にはクロノグラフ規制レバー３５０が秒ＣＧ第二中間車２０６を圧接していない状態であり、自動停止後にストップ操作を行うことで、クロノグラフ輪列がクロノグラフ規制レバー３５０で規制される。また、各ＣＧ針１４，１５の自動停止は、クロノグラフモータ２０１に出力するモータパルスをスタート操作後からカウントし、所定パルス数出力したことを判断して行われる。
この後、帰零操作を行えば、秒ＣＧ針１４はそのままの位置を維持することで帰零状態となり、分ＣＧ針１５が運針方向とは逆方向に回動して瞬時に帰零する。
【００５６】
以下には、図１５ないし図１７を用いて、自動停止の一例をより具体的に説明する。
クロノグラフ付時計１のクロノグラフ制御回路としては、図１５のブロック図に示すように、スイッチ１７１０、モード制御回路１８２４、クロノグラフ基準信号発生回路１８２５、および自動停止カウンタ１８２９を備えている。
【００５７】
スイッチ１７１０は、スタート・ストップボタン１８およびリセットボタン１９によりそれぞれ操作されるスタート・ストップスイッチ１８２１およびリセットスイッチ１８２２を総称したものである。スタート・ストップスイッチ１８２１は、スタート・ストップボタン１８が操作されるとオンまたはオフし、リセットスイッチ１８２２は、リセットボタン１９が操作されるとオンまたはオフするように構成されている。
【００５８】
スタート・ストップスイッチ１８２１は、伝達レバー３１０により例えば１回目の操作によってオンとなり、２回目の操作でオフとなるように構成されている。以下、スタート・ストップスイッチ１８２１を押す度にこれを繰り返す。リセットスイッチ１８２２も、略同様に動作する。
【００５９】
モード制御回路１８２４は、スイッチ１７１０からのスタート信号ＳＳＴおよびストップ信号ＳＳＰ、またはリセット信号ＳＲＴに基づいて、それぞれスタート・ストップ制御信号ＳＭＣ、またはリセット制御信号ＳＲＣをクロノグラフ基準信号発生回路１８２５に出力する。また、モード制御回路１８２４は、リセット制御信号ＳＲＣを自動停止カウンタ１８２９およびクロノグラフ基準信号発生回路１８２５等に出力することでクロノグラフ部分の作モードを制御する。モード制御回路１８２４は、リセットスイッチ１８２２のチャタリングを防止する回路を有する。
【００６０】
クロノグラフ基準信号発生回路１８２５は、モード制御回路１８２４からのスタート・ストップ制御信号ＳＭＣ等に基づいて、モータパルス発生回路１８２６（図１６）にクロノグラフ基準信号ＳＣＢを出力して、クロノグラフモータ２０１を制御する。クロノグラフ基準信号発生回路１８２５は、スタート・ストップ制御信号ＳＭＣが入力されると、クロノグラフモータ２０１を駆動し、ストップ時にはクロノグラフモータ２０１を停止させる。
【００６１】
自動停止カウンタ１８２９は、クロノグラフ基準信号発生回路１８２５からのクロノグラフ基準信号ＳＣＢが入力されることにより、クロノグラフ部分のカウントを行う。クロノグラフ基準信号ＳＣＢは、モータパルスＳＰＣ（図１６）の発生タイミングを図るための同期信号であり、自動停止カウンタ１８２９は、このクロノグラフ基準信号ＳＣＢを計数する。自動停止カウンタ１８２９は、計測時間が最大計測時間である例えば４５分に、ある所定時間プラスした時間が経過した後に、自動停止信号ＳＡＳをモード制御回路１８２４に出力する。
【００６２】
図１６は、図１５のクロノグラフ制御回路およびその周辺回路の構成を示すブロック図である。
クロノグラフ制御部の一部としてのモード制御回路１８２４は、図１６に示すように、スタート・ストップ制御回路１７３５、リセット制御回路１７３６、自動停止状態ラッチ回路１７３１、オア回路１７３、および二つのアンド回路１７３３，１７３４を備えている。
【００６３】
スタート・ストップ制御回路１７３５は、スタート・ストップスイッチ１８２１のオン・オフ状態を検出するための回路である。スタート・ストップ制御回路１７３５は、スタート・ストップスイッチ１８２１が操作されたことによる計測または非計測の状態の信号をアンド回路１７３３等に出力する。
【００６４】
リセット制御回路１７３６は、リセットスイッチ１８２２のオン・オフ状態を検出するための回路である。リセット制御回路１７３６は、リセットスイッチ１８２２が操作されたこと等により、クロノグラフ制御等をリセットする信号をオア回路１７３２に出力する。
【００６５】
自動停止状態ラッチ回路１７３１は、自動停止カウンタ１８２９からの自動停止信号ＳＡＳに応じて、アンド回路１７３３およびオア回路１７３２に対して、自動停止状態でないときにはＬレベル信号を出力し、自動停止状態ではＨレベルの信号を出力する。
【００６６】
オア回路１７３２は、自動停止状態ラッチ回路１７３１からの信号とリセット制御回路１７３６からの信号が入力され、クロノグラフ基準信号発生回路１８２５、モータパルス発生回路１８２６、および自動停止カウンタ１８２９等に出力される。第１のアンド回路１７３３は、自動停止状態ラッチ回路１７３１からの信号が反転して入力された信号、およびスタート・ストップ制御回路１７３５から出力された信号が入力される。第１のアンド回路１７３３は、第２のアンド回路１７３４に対して出力する。第２のアンド回路１７３４は、第１のアンド回路１７３３の出力信号と、図示しない高周波分周回路にて生成された信号ＳＨＤ（例えば１２８Ｈｚのパルス信号）が入力される。
【００６７】
このような構成において、図１６の回路の動作について説明する。
リセット状態において、スタート・ストップボタン１８が操作されると、スタート・ストップスイッチ１８２１がオンとなる。すると、スタート信号ＳＳＴは、モード制御回路１８２４に入力される。スタート・ストップ制御回路１７３５は、スタート・ストップスイッチ１８２１がオンであることをサンプリングする。従って、モード制御回路１８２４は、アンド回路１７３３の出力がＨレベルとなって、アンド回路１７３４から例えば１２８Ｈｚのパルス信号であるスタート・ストップ制御信号ＳＭＣをクロノグラフ基準信号発生回路１８２５に対して出力し、クロノグラフ基準信号発生回路１８２５が例えば１／５Ｈｚのパルス信号であるクロノグラフ基準信号ＳＣＢを出力する。このようにして、モータパルス発生回路１８２６は、このクロノグラフ基準信号ＳＣＢに基づいて、クロノグラフモータ２０１を駆動制御するためのモータパルスＳＰＣを出力し、クロノグラフ部分の運針を開始する。
【００６８】
そして、自動停止カウンタ１８２９は、クロノグラフ基準信号発生回路１８２５からのクロノグラフ基準信号ＳＣＢをカウントし、自動停止位置に対応するカウント値になったとき、自動停止信号ＳＡＳをモード制御回路１８２４の自動停止状態ラッチ回路１７３１に出力する。
【００６９】
自動停止状態ラッチ回路１７３１は、例えばＨレベルの信号をオア回路１７３２およびアンド回路１７３３に対して出力するので、オア回路１７３２がＨレベルの信号を出力し、クロノグラフ基準信号発生回路１８２５、モータパルス発生回路１８２６、自動停止カウンタ１８２９がリセットされ、各ＣＧ針１４，１５の運針が停止される。また、アンド回路１７３３の出力信号がＬレベルとなることから、アンド回路１７３４の出力もＬレベルとなり、モード制御回路１８２４からクロノグラフ基準信号発生回路１８２５に対してスタート・ストップ制御信号ＳＭＣが出力されなくなる。
【００７０】
図１７は、クロノグラフの自動停止処理を示すフローチャートである。以下、この図３をも参照して、自動停止処理について説明する。
【００７１】
＜針位置が自動停止位置に来るまでの処理＞
スタート・ストップボタン１８が操作されると、スタート信号ＳＳＴが
モード制御回路１８２４に入力される。これにより、モード制御回路１８２４は、スタート・ストップ制御信号ＳＭＣをクロノグラフ基準信号発生回路１８２５に出力する。
【００７２】
クロノグラフ基準信号発生回路１８２５は、例えば１２８Ｈｚであるスタート・ストップ制御信号ＳＭＣを分周して、例えば１／５Ｈｚのクロノグラフ基準信号ＳＣＢを作成する。このクロノグラフ基準信号ＳＣＢの立ち下がりまたは立ち上りによってモータパルスＳＰＣの出力や自動停止カウンタ１８２９のカウント処理を行うためクロノグラフ基準信号ＳＣＢの変化のないときは待機状態となる（ステップＳＴ１）。クロノグラフ基準信号ＳＣＢが出力されると、モータパルス発生回路１８２６は、その立ち下がりに同期してモータパルスＳＰＣを発生して出力を開始する。クロノグラフモータ２０１は、モータパルスＳＰＣが出力されることで駆動する。このようにして、各ＣＧ針１４，１５の運針が行われる（ステップＳＴ２）。
【００７３】
自動停止カウンタ１８２９は、クロノグラフ基準信号ＳＣＢの立ち下がりから例えば１／１２８秒後のクロノグラフ基準信号ＳＣＢの立ち上りによって、自動停止カウンタ値を＋１だけカウントアップする（ステップＳＴ３）。カウントアップした自動停止カウンタ値が、各ＣＧ針１４，１５の自動停止位置に対応するカウンタ値＋１でない場合には、再びステップＳＴ１に戻って、以上の動作を繰り返す（ステップＳＴ４）。これにより、各ＣＧ針１４，１５の運針が行われ、時間の計測が継続する。
【００７４】
＜針が自動停止位置に来たときの処理＞
自動停止カウンタ値が自動停止位置に対応するカウント値＋１である場合には（ステップＳＴ４）、自動停止カウンタ１８２９は自動停止信号ＳＡＳをモード制御回路１８２４に対して出力する。これにより、モード制御回路１８２４は、その自動停止状態ラッチ回路１７３１の出力信号がＨレベルとなり、オア回路１７３２からＨレベルのリセット制御信号ＳＲＣが、クロノグラフ基準信号発生回路１８２５、モータパルス発生回路１８２６、および自動停止カウンタ１８２９に出力される（ステップＳＴ５）。これにより、クロノグラフ基準信号発生回路１８２５、モータパルス発生回路１８２６、および自動停止カウンタ１８２９がそれぞれリセットされ、モータパルス発生回路１８２６からクロノグラフモータ２０１へのモータパルスＳＰＣの出力が中止され、自動停止カウンタ１８２９のカウント値が「０（ゼロ）」になる（ステップＳＴ６）。これにより、各ＣＧ針１４，１５は、それぞれ予め設定された自動停止位置にて自動的に停止する。そして、自動停止状態ラッチ回路１７３１および自動停止カウンタ１８２９を含んで本発明に係る自動停止部が構成されている。
【００７５】
なお、以上のような処理に限らず、機械的に自動停止する手段により、各ＣＧ針１４，１５の運針を停止させてもよい。このような機械的な手段としては、例えばハートカム２２４軌跡内に電気的スイッチ部を兼ねた突起部を設け、この突起部にハートカム２２４が接触し、この際の電気的接触によりリセット信号を発生させ構造のもが考えられる。
【００７６】
［３−３．基本時計の時刻修正操作］
基本時計の指示時刻を修正するには、りゅうず１７を時刻修正位置まで引き出して巻真１３０を引き出す。これにより、おしどり１３１とかんぬき１３２が連動し、つづみ車１３３が小鉄車１３４と噛み合うため、巻真１３０を回転させると、小鉄車１３４、各中間車１３５〜１３７、日の裏車１３８を介して二番車１１１に回転が伝達され、通常の時刻修正が行われる。この際、巻真１３０の引き出しに連動して規正レバー１３９が作動し、四番第一中間車１０９を規正するため、巻真１３０の回転は、基本時計用モータ１０１側には伝達されることはない。
【００７７】
このような本実施形態によれば、次のような効果が得られる。
（１）すなわち、クロノグラフ付時計１では、クロノグラフ機能をスタートさせてから最大計測時間である４５分過後に各ＣＧ針１４，１５が自動停止するのであるが、分ＣＧ針１５の回動軌跡は扇形であり、従来や秒ＣＧ針１４とは異なって分ＣＧ針１５が全周回転することはないため、分ＣＧ針１５の自動停止する位置は零位置ではなく、零位置から僅かに経過した位置でもない。
従って、分ＣＧ針１５が回動軌跡に沿って付された目盛３Ｄａを越えて停止しているのであれば、その位置がすなわち自動停止した位置であると判別できる。また、分ＣＧ針１５が回動途中位置のいずれかの目盛３Ｄ上で停止しているのであれば、その位置がストップ操作により停止した位置であると判別できる。しかも、零位置に停止している状態は帰零状態以外にないから、零位置に停止していれば、帰零操作された後の状態であり、電子回路がリセットされた状態であると判別できる。このように、分ＣＧ針１５の停止位置により、分ＣＧ針１５がいずれの停止状態にあるのかをより確実に判別できるという効果がある。
【００７８】
（２）また、時計１によれば、最大計測時間を経過した場合には、この最大計測時間に対応する目盛３Ｄａを超過した位置で分ＣＧ針１５が自動停止するから、ストップ操作した結果、分ＣＧ針１５がそのような目盛３Ｄａ上で停止しているのであれば、計測結果は丁度最大計測時間すなわち、４５分に等しいといえ、最大計測時間を正確に計測できる。
つまり、分ＣＧ針１５が自動停止時においても目盛３Ｄａ上で停止するのであれば、例えばランナーのゴールに合わせてストップ操作を行う場合でいうと、ストップ操作を行った後、時計１をのぞき込んで計測結果を確認した際に、分ＣＧ針１５が丁度目盛３Ｄａ上で停止していたのでは、果たしてその停止状態が自動停止によるものか、あるいはストップ操作によるものかを判別できないといった事態に陥り、最大計測時間を正確に計測できないのであるが、時計１ではそのような事態が生じる心配がないのである。
【００７９】
（３）さらに、時計１では、最大計測時間に対応する目盛３Ｄａを超過した領域に目盛３Ｄとは違った超過表示部３Ｅが設けられ、この超過表示部３Ｅ上で分ＣＧ針１５が自動停止するから、分ＣＧ針１５の自動停止による停止状態を一層見易くでき、判読性をさらに向上させて使い勝手をさらに良好にできる。
この際、目盛３Ｄは線状で目盛幅が小さく、黒色であるのに対し、超過表示部３Ｅは３分ぶんの目盛幅を有して大きいうえ、色も目盛３Ｄとは異なって赤色であるから、分ＣＧ針１５が最大計測時間を超えて超過表示部３Ｅ上にある場合に、通常の目盛３Ｄ上にないことをより明確に判読でき、この点からも判読性を一層向上させることができ、また、外観上の意匠性も向上させることができる。
【００８０】
（４）そして、クロノグラフ秒およびクロノグラフ分のうち、単位の大きいクロノグラフ分を指示する分ＣＧ針１５の回動軌跡のみが扇形であるため、クロノグラフ秒を指示する目盛３Ｃを円形に付すことで、目盛３Ｃを細かく密に付す必要がなく、判読性が損なわれるのを防止できる。
【００８１】
（５）また、秒ＣＧ針１４は、最大計測時間を経過した際に、零位置である目盛３Ｃａ上で自動停止するので、この停止位置から分ＣＧ針１５の停止位置と併せて自動停止状態にあることをより容易に判別できる。加えて秒ＣＧ針１４は、円形の回動軌跡の中の半端な位置で停止する場合と異なって見栄えを良好にでき、自動停止状態での意匠性を向上させることができる。
【００８２】
（６）ハートカム２１０，２２４および復針レバー３３０を備えた機械式の帰零機構で各ＣＧ針１４，１５を帰零させるので、特に長さの長い分ＣＧ針１５をも瞬時にメカ帰零させることができ、ダイナミック感を味わうことができる。
【００８３】
（７）特に分ＣＧ針１５の回動軌跡が扇形であるから、分ＣＧ針１５の帰零をクロノグラフモータ２０１で行うには、分ＣＧ針１５の駆動方向を変えて帰零させる必要があり、クロノグラフモータ２０１として正転と逆転とを実現できるものに限られる。しかし、このような正、逆回転可能なモータは、電圧変動が少ない一次電池等を電源として用いなければならず、回転錘４８０の回転を発電機６１０で電気エネルギーに変換して二次電源６４０に蓄え、この二次電源６４０をモータ駆動用に用いようとしても、電圧変動があってそのようなモータを駆動することができず、時計１の仕様に制限が生じる。一方、メカ帰零が採用されている本実施形態では、クロノグラフモータ２０１は、正転（一方向）のみが行えるものでよいから、電圧変動に対して強く、一次電源（一次電池）および二次電源６４０のいずれを用いても確実に駆動されるようになり、時計１を設計する上での制限をなくすことができる。
【００８４】
（８）さらに、クロノグラフモータ２０１が電圧変動に対して強いことにより、二次電源６４０での充電状態が極めて低い状態であっても、クロノグラフモータ２０１を確実に駆動でき、例えば充電切れによって停止した状態からも、僅かに充電されただけで各ＣＧ針１４，１５による計測を即座に実行できる。
【００８５】
（９）そして、メカ帰零のため、分ＣＧ針１５が扇運針する際の角度を、クロノグラフ輪列の減速比を変更すること等によって容易かつ短期間で変えることができるうえ、クロノグラフ付時計１として意匠性に富んだ幅広い商品展開が行え、顧客の満足度を向上させることができる。つまり、ＩＣ制御によって所定数のモータパルスを出力させるような電気的な帰零では、扇運針時の角度を変えるにあたってＩＣの設計変更等が必要であるから、手間がかかって容易に変更することができず、顧客の要望に迅速に対応できないのである。
【００８６】
（10）秒ＣＧ針１４を単独で設け、その回転軸１４Ａが他の針の回転軸と一致しないようにしており、通常時刻表示も時分針１１，１２と秒針１３とを独立させているため、各針の指示を使用者が容易に判読できる。また、分ＣＧ針１５も単独で設けられているので、その指示をより容易に判読できる。従って、クロノグラフ時計機能を有し、多くの指針を備える多機能時計１であっても、各指針の指示を確実に確認できて視認性の高い時計にできる。
また、時分針１１，１２以外は、各針１１〜１５がそれぞれ独立して配置されているので、各針１１〜１５を駆動するための輪列も互いに離して配置することができ、断面的な針の重なりや、各輪列の重なりも最小限に抑えることができる。従って、多くの指針を備える多機能時計１であっても、時計１を薄型化することができる。
【００８７】
（11）秒ＣＧ針１４の回転軸１４Ａを時間表示部４の中心４Ａから若干偏心させて配置しているので、この回転軸１４Ａに干渉しないように配置しなければならない時針１１、分針１２の長さ寸法を前記偏心した分だけ長くすることができる。このため、通常時刻表示用の時分針１１，１２を、秒ＣＧ針１４と独立させて時間表示部４の６時位置に配置した場合でも、各針１１，１２の長さを比較的長く設定でき、通常時刻の視認性も向上できる。
さらに、秒ＣＧ針１４は、回転軸１４Ａを時間表示部４の中心４Ａから若干偏心させて配置し、他の針１１〜１３，１５に比べても最も長い寸法に設定しているので、この点でもメカ帰零時の針１４のダイナミックな動作を表現でき、かつ視認性も向上できる。
【００８８】
（12）分ＣＧ針１５を扇運針としたので、その回転軸１５Ａを秒ＣＧ針１４の軸１４Ａに近接して配置することができる。すなわち、各回転軸１４Ａ，１５Ａ間の距離を、分ＣＧ針１５の長さ寸法Ｌ４よりも短くすることができる。このため、分ＣＧ針１５の回転軸１５Ａを時間表示部４の中心４Ａ近傍に配置でき、その分、分ＣＧ針１５の長さ寸法Ｌ４も長く設定できるため、分ＣＧ針１５の指示も判読しやすくできる。
また、各クロノグラフ針１４，１５をメカ帰零方式で帰零する際に、各軸１４Ａ，１５Ａが近接しているため、各軸のハートカム２１０，２２４に当接する復針レバー３３０の各カム当接部も近接することができ、各ハートカム２１０，２２４に当接する復針レバー３３０を容易に一体化でき、かつ小型化することができる。
【００８９】
（13）時分針１１，１２が取り付けられる車（二番車１１１、筒車）と、基本時計用モータ１０１のローター１０４との間に、増減速しない歯車１０７〜１０９を少なくとも２つ以上配置し、これらの歯車１０７〜１０９を同一の車で構成したので、部品コストを抑えることができる。従って、時分針１１，１２と秒針１３との距離が長い場合でもコストを抑えることができる。
【００９０】
（14）通常の時計では、二次電源と回路基板の導通構造を優先し、二次電源を回路基板の下層（第１層）に配置していたが、二次電源が下層に配置されていると、各部品を組み立てた後に回路の電気的な検査を行う場合には、二次電源からの電気導通を遮断しなければならない。そのため、一般には、プラス端子のような部品を最後に組み込めるように設計し、組立工程の途中では二次電源を導通させない配慮が必要になる。
これに対し、本実施形態では、二次電源６４０を裏蓋３０側の二層目（上層）に配置しているので、ムーブメント１００の組立工程において二次電源６４０を最後に組み込むことが可能となり、組立工程内で回路の電気的な検査を容易に行うことができる。このため、組立施工性や生産性を向上できる。
【００９１】
（15）帰零機構をＣＧ輪列の上層に配置したので、ハートカム２１０，２２４を叩く復針レバー３３０や作動レバー３４０等を効率的に配置することができる。従って、多数の部品を有する多機能時計１であっても通常の腕時計サイズに納めることができる。
【００９２】
（16）回路基板５０１と、２層目の二次電源６４０等とを導通コイル６３１を利用して電気的に接続しているので、高さ方向に離れた回路同士であっても簡単な構成で確実に接続することができる。
【００９３】
（17）秒ＣＧ針１４を時間表示部４の中心４Ａから１２時方向に偏心した位置に配置し、時針１１、分針１２を中心４Ａから６時方向に偏心した位置に配置し、秒針１３を中心４Ａから略１０時方向に偏心した位置に配置し、分ＣＧ針１５を中心４Ａから略２時方向に偏心した位置に配置したので、各針の配置バランスが良くなり、意匠性を向上できる。
その上、扇運針を行う分ＣＧ針１５を略２時方向に配置したので、分ＣＧ針１５も帰零位置から時計回りに、つまり他の針と同方向に回動できるので、各針の作動が違和感無く把握できる。
【００９４】
なお、本発明は、前記実施形態に限定されるものではなく、本発明の目的を達成できる他の構成等を含み、以下に示すような変形等も本発明に含まれる。
例えば、前記実施形態では、分クロノグラフ時間の最大計測時間が４５分であったが、この最大計測時間は任意であってよく、４５分に限定されない。
また、分クロノグラフ時間の目盛３Ｄは１３５度の角度で開いた扇形での円弧状部分に沿って付されていたが、扇形の角度も１３５度に限定されるものではなく、秒ＣＧ車２０８および分ＣＧ車２２０間の減速比や、最大計測時間等を勘案して任意に決められてよ。例えば、同じ４５分計の場合でも、減速比を１／６０として２７０度の扇形で表示させてもよく、減速比を１／９０にして１８０度の扇形で表示させてもよい。また、減速比を１／１２０を維持したまま６０分計にすることで１８０度の扇形で表示させたりしてもよい。
【００９５】
そして、前記実施形態では、秒ＣＧ針１４および分ＣＧ針１５の２つの指針が設けられていたが、さらに時クロノグラフ時間を指示する時ＣＧ針を設けてもよく、このような場合では、最も単位の大きい時ＣＧ針を扇運針させることになる。あるいは、秒ＣＧ針１４のみを設けた場合や、１／５秒ＣＧ針や１／１０秒ＣＧ針を設けてもよく、このような場合でも、最も単位の大きなＣＧ針を扇運針させることになる。
【００９７】
前記実施形態では、目盛３Ｄａの延長部分に超過表示部３Ｅが設けられていたが、このような超過表示部３Ｅは、本発明に必須の構成ではなく、省略可能である。すなわち、分ＣＧ針１５の自動停止する領域が文字板３の表面と同色であっても本発明に含まれる。
本発明の計時装置としては、前期実施形態でのクロノグラフ付時計１に限定されず、例えば指針式のストップウオッチやタイマー等、時間情報を計時可能な任意の装置であってもよい。
【００９８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００９９】
【図１】本発明の一実施形態であるクロノグラフ付時計の表側外観図。
【図２】図１のＡ−Ａ線に沿った断面図。
【図３】図１のＢ−Ｂ線に沿った断面図。
【図４】図１のＣ−Ｃ線に沿った断面図。
【図５】図１のＤ−Ｄ線に沿った断面図。
【図６】クロノグラフ付時計の表側外観の拡大図。
【図７】ムーブメントの組立工程の途中状態を示す斜視図。
【図８】ムーブメントの組立工程の途中状態を示す斜視図。
【図９】ムーブメントの組立工程の途中状態を示す斜視図。
【図１０】ムーブメントの組立工程の途中状態を示す斜視図。
【図１１】ムーブメントの組立工程の途中状態を示す斜視図。
【図１２】ムーブメントの組立工程の途中状態を示す斜視図。
【図１３】ムーブメントの組立工程の途中状態を示す斜視図。
【図１４】ムーブメントの組立工程の途中状態を示す斜視図。
【図１５】クロノグラフ制御回路を示すブロック図。
【図１６】クロノグラフ制御回路およびその周辺回路示すブロック図。
【図１７】クロノグラフの自動停止処理を示すフローチャート。
【符号の説明】
【０１００】
１…計時装置であるクロノグラフ付時計、３…文字板、３Ｃ，３Ｃａ，３Ｄ，３Ｄａ…計測目盛、３Ｅ…超過表示部、１４…指針である秒クロノグラフ針、１５…指針である分クロノグラフ針。
【図１】
0003714355.tif 000002
【図２】
0003714355.tif 000003
【図３】
0003714355.tif 000004
【図４】
0003714355.tif 000005
【図５】
0003714355.tif 000006
【図６】
0003714355.tif 000007
【図７】
0003714355.tif 000008
【図８】
0003714355.tif 000009
【図９】
0003714355.tif 000010
【図１０】
0003714355.tif 000011
【図１１】
0003714355.tif 000012
【図１２】
0003714355.tif 000013
【図１３】
0003714355.tif 000014
【図１４】
0003714355.tif 000015
【図１５】
0003714355.tif 000016
【図１６】
0003714355.tif 000017
【図１７】
0003714355.tif 000018